(57)【要約】【課題】光のエネルギ効率が良好なダイヤルおよびこれを備えた加熱調理器を提供する。【解決手段】本発明のダイヤル７は、回転操作されるつまみ７０と、つまみ７０の近くに設けられ、環状の導光部２１と照射部２２とを有する電飾部材２０と、導光部２１に光を与える光源１５とを備え、光源１５は、導光部２１が広がる延在空間Ｋに配置され、光源１５の光は、導光部２１に延在空間が広がる方向から入射されている。  本発明の加熱調理機１は、ダイヤル７を具備している。【選択図】図３
2020176772.tif 000002
【特許請求の範囲】
【請求項１】
回転操作されるつまみと、
前記つまみの近くに設けられ、環状の導光部と照射部とを有する電飾部材と、
前記導光部に光を与える光源とを備え、
前記光源は、前記導光部が広がる延在空間に配置され、
前記光源の光は、前記導光部に前記延在空間が広がる方向から入射されている
ことを特徴とするダイヤル。
【請求項２】
回転操作されるつまみと、
前記つまみの近くに設けられ、環状の導光部と照射部とを有する電飾部材と、
前記導光部に光を与える光源とを備え、
前記光源は、前記導光部の周方向に配置され
前記光源の光は、前記導光部に周方向から入射されている
ことを特徴とするダイヤル。
【請求項３】
回転操作されるつまみと、
前記つまみの近くに設けられ、環状の導光部と照射部とを有する電飾部材と、
前記導光部に光を与える光源とを備え、
前記光源は、
前記導光部の横方向に配置され、
前記光源の光は、前記導光部に横方向から入射されている
ことを特徴とするダイヤル。
【請求項４】
請求項１から請求項３のうちの何れか一項に記載のダイヤルにおいて、
前記光源は、単数である
ことを特徴とするダイヤル。
【請求項５】
請求項１から請求項３のうちの何れか一項に記載のダイヤルにおいて、
前記光源から遠くなるに従い前記照射部に近付く傾斜面を有している
ことを特徴とするダイヤル。
【請求項６】
請求項１から請求項３のうちの何れか一項に記載のダイヤルにおいて、
前記導光部は、前記光源から遠くなるに従い断面積が小さくなる箇所を有している
ことを特徴とするダイヤル。
【請求項７】
請求項１から請求項３のうちの何れか一項に記載のダイヤルにおいて、
前記導光部は、前記光源から遠くなるに従い薄くなる箇所を有している
ことを特徴とするダイヤル。
【請求項８】
請求項１から請求項３のうちの何れか一項に記載のダイヤルにおいて、
前記光源は、前記導光部に、先端面と周側面とが覆われている
ことを特徴とするダイヤル。
【請求項９】
請求項１から請求項１１のうちの何れか一項に記載のダイヤルを具備している
ことを特徴とする加熱調理機。
【発明の詳細な説明】
【技術分野】
【０００１】
本発明は、加熱調理器に関する。
【背景技術】
【０００２】
家庭用電気機器には、加熱調理に用いられる加熱調理器がある。
特許文献１は、加熱調理器の加熱室の前面に上下方向に開閉するドアを設け、ドアには上部に取っ手と下部に操作パネルを設け、操作パネルに選択ダイヤルを設けた加熱調理器が記載されている。
【先行技術文献】
【特許文献】
【０００３】
【特許文献１】特開２０１０−２５５９３５号公報
【発明の概要】
【発明が解決しようとする課題】
【０００４】
ところで、選択ダイヤルは、後方に周状にほぼ等間隔に配置された複数、例えば３つ以上のＬＥＤで後方から前方に向けて照射している。これにより、選択ダイヤルの光度を上げ、使用者からの視認性を向上させている。周状に複数のＬＥＤを配置することから丸い基板が必要となり、構造が複雑になっている。そのため、選択ダイヤルのコストが高くなっている。
【０００５】
また、複数のＬＥＤを用いることから光のエネルギ効率がよいとはいえない。
【０００６】
本発明は上記実状に鑑み創案されたものであり、光のエネルギが効率的に用いられるダイヤルおよびこれを備えた加熱調理器の提供を目的とする。
【課題を解決するための手段】
【０００７】
前記課題を解決するため、第１の本発明のダイヤルは、回転操作されるつまみと、前記つまみの近くに設けられ、環状の導光部と照射部とを有する電飾部材と、前記導光部に光を与える光源とを備え、前記光源は、前記導光部が広がる延在空間に配置され、前記光源の光は、前記導光部に前記延在空間が広がる方向から入射されている。
【０００８】
第２の本発明のダイヤルは、回転操作されるつまみと、前記つまみの近くに設けられ、環状の導光部と照射部とを有する電飾部材と、前記導光部に光を与える光源とを備え、前記光源は、前記導光部の周方向に配置され前記光源の光は、前記導光部に周方向から入射されている
【０００９】
第３の本発明のダイヤルは、回転操作されるつまみと、前記つまみの近くに設けられ、環状の導光部と照射部とを有する電飾部材と、前記導光部に光を与える光源とを備え、前記光源は、前記導光部の横方向に配置され、前記光源の光は、前記導光部に横方向から入射されている
【００１０】
第４の本発明の加熱調理機は、第１から第３の何れか一つの本発明のダイヤルを具備している。
【発明の効果】
【００１１】
本発明によれば、光のエネルギが効率的に用いられるダイヤルおよびこれを備えた加熱調理器を提供することができる。
【図面の簡単な説明】
【００１２】
【図１】本発明の実施形態に係る加熱調理器の正面図。
【図２】選択ダイヤルからダイヤルつまみを除いたイルミリングから奥側の拡大前面図。
【図３】図１のＩ−Ｉ断面図。
【図４】図１のII−II断面図。
【図５】イルミリングを斜め前から見た斜視図。
【図６】（ａ）はイルミリングの前面図、（ｂ）は（ａ）のIII方向矢視図、（ｃ）は（ａ）のIV方向矢視図。
【図７】イルミリングの後面図。
【図８】（ａ）はイルミリングの変形例の導光部の後面模式図、（ｂ）は（ａ）のＶ方向矢視図。
【図９】（ａ）はイルミリングの変形例１の導光部を示す後面模式図、（ｂ）は（ａ）のVI−VI断面図。
【図１０】（ａ）はイルミリングの変形例２の導光部を示す後面模式図、（ｂ）は、（ａ）のVII方向矢視図。
【図１１】（ａ）はイルミリングの変形例３の導光部を示す後面模式図、（ｂ）は（ａ）のVIII−VIII断面図。
【図１２】イルミリングの変形例４の導光部を示す後面図。
【図１３】変形例５の導光部の後面模式図。
【図１４】変形例６の導光部の後面模式図。
【発明を実施するための形態】
【００１３】
以下、本発明の実施形態について適宜図面を参照しながら説明する。
＜＜実施形態＞＞
図１は、本発明の実施形態に係る加熱調理器１の正面図である。
実施形態１の加熱調理器１は、前面のドア２とカバー１ｋとで外郭が形成されている。
【００１４】
カバー１ｋは、両側面、上・下面および後面を覆っている。
加熱調理器１は、ドア２で開閉される開口をもつ本体１ｈを備えている。
【００１５】
そして、加熱調理器１は、ドア２で開閉される加熱室３と、加熱室３の下面に配置されるテーブル（図示せず）とを備えている。加熱室３は、本体１ｈの内部に形成されている。
ドア２は、加熱室３の前方に設けられている。ドア２は、被調理物を出し入れするために開閉自在に設けられ、上部に取っ手２ｔを備えている。
【００１６】
ドア２の中央部には大きく形成される窓部２ｍと、窓部２ｍを覆うガラス２ｇとを備えている。窓部２ｍから加熱室３内を覗き見ることができる。
ドア２の窓部２ｍの下部には、操作表示部６０が設けられている。
【００１７】
テーブルには、使用者により被調理物が載置される。テーブルは回転式、非回転式いずれであってもよい。
加熱室３は、加熱調理する食品等の被調理物が入れられ、加熱調理される。
【００１８】
加熱室３のテーブルの下部には、テーブルを支持する重量センサ（図示せず）を備えている。重量センサで検出される被調理物の重量に応じて調理時間を決定することができる。
【００１９】
加熱室３内の左奥上部には、サーミスタで構成する温度センサ（図示せず）が設けられている。温度センサが検出する温度に応じて調理出力、調理時間等を決定することができる。
【００２０】
また、加熱室３の上壁面の奥寄り、左右略中央には赤外線センサ（図示せず）が設けられている。赤外線センサは、テーブルに載せた被調理物の赤外線を検出して温度を測定する。赤外線センサで測定した温度情報は制御手段（図示せず）に送られる。
【００２１】
＜加熱調理器１の調理＞
加熱調理器１は、あたため等の電子レンジ調理を行うレンジ加熱手段、オーブン調理を行うオーブン加熱手段、グリル調理を行うグリル加熱手段，スチーム調理を行うスチーム加熱手段の４種類の加熱手段を備えている。
【００２２】
加熱調理器１は、上述の加熱手段を単独もしくは組み合わせて調理を行うことができる。
【００２３】
電子レンジ調理は、テーブル上に載置した被調理物にマイクロ波を与え、被調理物内の水分等の分子を振動させることで発生する摩擦熱によって被調理物を内部から加熱する調理方法である。
【００２４】
電子レンジ調理は、レンジ加熱手段によって行われる。
レンジ加熱手段は、電子レンジ調理の加熱源であるマイクロ波を発振するマグネトロン（図示せず）と、マグネトロンから発振するマイクロ波の出力を制御するインバータ基板（図示せず）とを備えている。インバータ基板は制御手段により制御されている。
【００２５】
電子レンジ調理は、マグネトロンから所望のマイクロ波を被調理物に与えて加熱して行われる。
【００２６】
オーブン調理は、テーブル４上に載置した被調理物に、加熱室２の奥壁部に設けた熱風ユニット（図示せず）により被調理物に熱風を与えることにより被調理物を表面から加熱する。
【００２７】
グリル調理について説明する。
加熱室２の上壁部に電熱ヒータ（図示せず）を備えている。電熱ヒータは、制御手段により制御され、加熱室２の上壁面を適切な温度にする。加熱室２の上壁面の熱により、テーブル上に載置した被調理物に所望の輻射熱（遠赤外線）を与えて被調理物を表面から焼き上げ、加熱する。この加熱調理法がグリル調理である。
【００２８】
スチーム調理は、テーブル上に載置した被調理物にスチームを与え、被調理物を表面から加熱する調理方法である。
【００２９】
＜操作表示部６０＞
ドア２の窓部２ｍの下部には、加熱調理器１の操作や表示が行われる操作表示部６０が設けられている。操作表示部６０は、操作と表示の機能を有している。
【００３０】
操作表示部６０の前面には、操作パネル６が設けられている。操作パネル６の中央には、表示部６ａが設けられている。
操作表示部６０には、マグネトロン、熱風ユニット、電熱ヒータ等の加熱手段の各種設定や指示の内容が入力される。
【００３１】
操作パネル６の右端には、選択ダイヤル７が設けられている。
選択ダイヤル７は、機械式スイッチであり、加熱手段の加熱の開始やメニュー表示、モード等を決定する際に操作される。また、選択ダイヤル７は、加熱手段の各種設定が行われる。
【００３２】
使用者が選択ダイヤル７を回転動作させることで、操作表示部６０に表示されるメニュー表示の切換や、時間、温度の設定表示が切り替えられる。そして、選択ダイヤル７を押下することで、内部のスイッチ１４ｂ（図３参照）が入り、あたためスタートや、選択ダイヤル７の回転操作による設定の決定がなされる。
【００３３】
選択ダイヤル７の左（選択ダイヤル７よりも中央寄りから中央左）には、調理で使用する機械式スイッチの操作キーが設けられている。
例えば、とりけしキー８、手動キー９、および仕上りキー１０が設けられている。
【００３４】
とりけしキー８は、加熱手段の加熱を停止する際に操作される。
手動キー９は、使用者が手動で加熱条件を設定する。
簡単レンジキー１０は、使用者が簡単操作を行う際に操作される。
【００３５】
表示部６ａの左側には、解凍キー１１、加熱選択キー１２、およびお手入れキー１３が設けられている。
解凍キー１１は、被調理物を解凍する際に操作されるキーである。加熱選択キー１２は、加熱モードを選択する際に操作されるキーである。お手入れキー１３は、加熱室２の手入れをする際に操作されるキーである。
【００３６】
図２は、選択ダイヤル７からダイヤルつまみ７０を除いたイルミリング２０から奥側の拡大前面図である。
【００３７】
図３は、図１のＩ−Ｉ断面図である。図４は、図１のII−II断面図である。
選択ダイヤル７近くの操作パネル６の内側には、パネル基板１４を備えている。図３、図４に示すように、パネル基板１４には、エンコーダ１４ａと、スイッチ１４ｂと、ＬＥＤ１５が実装されるＬＥＤ基板１４ｃとが実装されている。
【００３８】
ダイヤルつまみ７０と、操作パネル６との間には、ＬＥＤ１５の光をダイヤルつまみ７０の周囲に導くイルミリング２０が配設されている。
イルミリング２０は、光によって加熱調理器１の動作の状態（モード）を使用者にお知らせする。
【００３９】
選択ダイヤル７は、ダイヤルつまみ７０とエンコーダ１４ａとＬＥＤ１５とイルミリング２０とを備えている。
【００４０】
図３に示すように、操作パネル６には、エンコーダ１４ａの周囲に、軸受１４ｄが形成されている。
軸受１４ｄは、ダイヤルつまみ７０の軸部７０ｄを保持している。これにより、ダイヤルつまみ７０が、上下左右方向に動くことを防止し、エンコーダ１４ａやパネル基板１４に不要な力が掛からないようにしている。
【００４１】
操作パネル６の前方側からダイヤルつまみ７０の軸部７０ｄがエンコーダ１４ａに外側から嵌合され接続されている。ダイヤルつまみ７０の軸部７０ｄによって、使用者によるダイヤルつまみ７０の回転操作が、エンコーダ１４ａの回転として伝達される。
【００４２】
制御手段（図示せず）は、スイッチ１４ｂ、エンコーダ１４ａなどの入力を検出して、表示部６ａに表示する内容を出力する。
【００４３】
図１に示すドア２は、取っ手２ｔが本体１ｈの設置面Ｓ１に当たることがない範囲まで開放される。ドア３の開放可能範囲は、加熱室３側のドア内側面が略水平になる状態までとなっている。これにより、ドア３の開放空間を介して被調理物の出し入れが容易である。
【００４４】
ドア２が最大に開いた状態では、ドア２に設けた選択ダイヤル７のダイヤルつまみ７０が水受け７３（図１参照）と接触することがないように構成している。ダイヤルつまみ７０を薄型とすることで、ダイヤルつまみ７０が水受け７３に接触しないようにしている。
【００４５】
図３に示すように、ダイヤルつまみ７０は、一方の内部側に軸部７０ｄを設けた厚さが薄い円盤形状をしている。ダイヤルつまみ７０は、平坦形状の前面７０ａを備えている。
【００４６】
ダイヤルつまみ７０は、操作パネル６の面より前面に突出した位置に設けたダイヤル部７０ｃと、操作パネル６の軸受１４ｄを貫通してエンコーダ１４ａと嵌合する軸部７０ｄとを有している。
一例として、ダイヤル部７０ｃは操作パネル６より約５ｍｍ突出した配置となる。
【００４７】
使用者は、指でダイヤルつまみ７０のダイヤル部７０ｃを挟んで回転操作する。
【００４８】
イルミリング２０の下方には、ＬＥＤ１５が一つ配置されている。ＬＥＤ１５は、ＲＧＢＷ（Red、Green、Blue、White）の各色を有している。ＬＥＤ１５は、ＲＧＢＷの各色度を変えることで様々な色合いを作ることができる。
【００４９】
＜イルミリング２０＞
イルミリング２０は、選択ダイヤル７０の周囲を囲む環状の形状を有している。イルミリング２０は、光が透過する材料で形成されている。例えば、透明または半透明のＡＢＳ、ポリカーボネイト等が挙げられる。イルミリング２０は他の材質を用いてもよい。イルミリング２０は、光が透過し易いことから透明な方が望ましい。イルミリング２０は、透明度が高い方がよい。
【００５０】
図５は、イルミリング２０を斜め前から見た斜視図である。
図６（ａ）は、イルミリング２０の前面図であり、図６（ｂ）は、図６（ａ）のIII方向矢視図であり、図６（ｃ）は、図６（ａ）のIV方向矢視図である。
【００５１】
図６（ｂ）に示すように、イルミリング２０は、後部の導光部２１と前部の光照射部２２とを有している。
後部の導光部２１は、下方に設けられるＬＥＤ１５が発した光をイルミリング２０の全体に行き渡らせる。図２、図３に示すように、ＬＥＤ１５は、イルミリング２０の導光部２１に、先端面１５ｓと周側面１５ｔとが覆われている。
【００５２】
導光部２１は、下方のＬＥＤ１５の光を上方に向けて（図２、図３の矢印α）導光させる。ＬＥＤ１５の光は、導光部２１の横方向に入れられる。つまり、ＬＥＤ１５の光は、導光部２１が広がる延在空間Ｋ（図３、図４）の方向から入射される。換言すれば、ＬＥＤ１５の光は、導光部２１の周方向から入射される。そのため、一つのＬＥＤ１５の光をロス少なく、効率的に使用できる。
【００５３】
使用者に目視されるイルミリング２０前部の光照射部２２は、ＬＥＤ１５の光を前方に導く。
【００５４】
図７は、イルミリング２０の後面図である。
イルミリング２０後部の導光部２１は、円形の環形状に形成されている。
【００５５】
図２、図３に示すように、導光部２１の底部２１ｔには、下方のＬＥＤ１５を覆う凹形状のＬＥＤ収容部２３が形成されている。ＬＥＤ収容部２３は、ＬＥＤ１５を上方からほぼ完全に覆う形状を有している。ＬＥＤ１５は、ＬＥＤ収容部２３に収容されることで導光部２１に、先端面１５ｓと周側面１５ｔとが覆われている。
ＬＥＤ収容部２３は、ＬＥＤ１５をほぼ覆い、光のロスを極力抑えている。
【００５６】
図３に示すように、ＬＥＤ１５は、導光部２１が広がる延在空間Ｋ（図３、図４）に配置される。換言すれば、ＬＥＤ１５は導光部２１が延在する延在空間Ｋ内に配置される。
ＬＥＤ１５は導光部２１が延在する面内に光を発し、導光部２１に光を入れている（図２、図３、図４の矢印α）。ＬＥＤ１５の光は、導光部２１の底部２１ｔから周方向に伝播させている。導光部２１では、導光部２１の延在空間Ｋが広がる方向にＬＥＤ１５の光が導波される。導光部２１では、ＬＥＤ１５の光が横方向に伝播する。
【００５７】
こうして、ＬＥＤ１５の光をイルミリング２０の全体にできる限り導くようにしている。
【００５８】
図６（ｂ）に示すように、導光部２１の後部には、ＬＥＤ１５から遠ざかるに従って、前後方向の厚さｓ１が薄くなる傾斜面２１ａが形成されている。換言すれば、導光部２ｂの軸方向の断面積が光源のＬＥＤ１５から遠ざかるに従って次第に小さくなっている箇所（傾斜面２１ａ）を有している。或いは、イルミリング２０は、光源のＬＥＤ１５から遠ざかるに従って次第に薄くなっている。
【００５９】
傾斜面２１ａにより、上方に向かうＬＥＤ１５の光を前方に向けて反射させている。これにより、ＬＥＤ１５の上方に向けて発せられる光が、上方に抜けて光ロスとならないようにしている。
傾斜面２１ａの角度θ１（図６（ｂ）参照）が大き過ぎるとＬＥＤ１５から離れた位置に光が届かない。傾斜面２１ａの角度θ１が小さ過ぎるとＬＥＤ１５の光が上方に抜ける割合が多くなる。
【００６０】
図７に示すように、傾斜面２１ａの上部にはローレット加工の凹凸２１ｂが放射状に施されている。詳細には、傾斜面２０ａ１には、イルミリング２０の中心ｃ０を通る水平方向の中心線ｃ１より上に、ローレット加工の凹凸２１ｂが、イルミリング２０の中心ｃ０から、放射状に形成されている。ローレット加工の凹凸２１ｂにより、ＬＥＤ１５からの光を導光部２１内で散乱させて分散させる。これにより、前方（図６（ｂ）参照）から見て、イルミリング２０の光照射部２２が一様に光って目視できるようにしている。
【００６１】
イルミリング２０における図５、図６（ｂ）に示す前部の光照射部２２は、使用者から目視される。
光照射部２２は、前部の円筒部２２ａと中央部の第１円環部２２ｂと後部の第２円環部２２ｃとを有している。
【００６２】
中央部の第１円環部２２ｂは、前部の円筒部２２ａより外径が大きい。
後部の第２円環部２２ｃは、中央部の第１円環部２２ｂより外径が大きい。
【００６３】
円筒部２２ａと第１円環部２２ｂと第２円環部２２ｃの各表面には、シボ加工（エンボス加工）が施されている。つまり、円筒部２２ａと第１円環部２２ｂと第２円環部２２ｃの各表面は粗されている。
光照射部２２にシボ加工が施されることで、光照射部２２の光にムラがでないようにしている。
【００６４】
ＬＥＤ１５からの導光部２１から光照射部２２の内部に導かれた光が光照射部２２の表面で散乱して、光照射部２２の表面から外界に一様に光を発するようにしている。
【００６５】
上記構成によれば、イルミリング２０を一つのＬＥＤ１５で光らせ、ＬＥＤ１５の光のエネルギを効率よく使用できる。また、一つのＬＥＤ１５を使用するので、ＬＥＤ１５の回路基板が小さく済む。そのため、ＬＥＤ１５周りの構造が簡素になる。
【００６６】
従って、選択ダイヤル７のコストを低減できる。
よって、選択ダイヤル７を備える加熱調理器１のコスト低減を図れる。
【００６７】
なお、本実施形態では、イルミリング２０の導光部２１は連続した環状の場合を示したが、イルミリング２０は必ずしも連続していなくてもよい。例えば、図８（ａ）に示すように、イルミリング２０の導光部２１ＡにおけるＬＥＤ１５ａから離れた箇所が切断された構成でもよい。図８（ａ）は、イルミリング２０の変形例の導光部２１Ａの後面模式図であり、図８（ｂ）は、図８（ａ）のＶ方向矢視図である。
【００６８】
＜＜変形例１＞＞
図９（ａ）は、イルミリング２０の変形例１の導光部２１Ｂを示す後面模式図であり、図９（ｂ）は図９（ａ）のVI−VI断面図である。
【００６９】
図６（ｂ）に示す実施形態のイルミリング２０の導光部２１では、導光部２１を軸ｃ０方向の厚さｓ１に傾斜をつけた傾斜面２１ａを形成した例を示した。
【００７０】
一方、図９に示す変形例１の導光部２１Ｂは、導光部２１Ｂの径方向の厚さｓ２の勾配をつけた構成である。つまり、導光部２１Ｂの下方に設けたＬＥＤ１５ｂから遠ざかる周方向にいくに従い、径方向の厚さｓ２が次第に薄くなる。図９（ｂ）に示すように、導光部２１Ｂの中心軸ｃ０方向の厚さｓ３は同じである。
【００７１】
つまり、イルミリング２０の導光部２１Ｂは、光源のＬＥＤ１５ｂから遠くなるに従い断面積が小さくなる箇所を有している。  
換言すれば、導光部２１Ｂは、光源のＬＥＤ１５ｂから遠ざかるに従って次第に薄くなる構成（径方向の厚さが薄くなる箇所）である。
【００７２】
イルミリング２０変形例１の導光部２１Ｂも、ＬＥＤ１５ｂから光を導光部２１Ｂの延在方向（図９（ａ）、（ｂ）の矢印α）に発することで、実施形態の導光部２１と同様、ＬＥＤ１５ｂの光を効率よく使用できる。
なお、導光部２１Ｂの中心軸ｃ０方向の厚さｓ３を、ＬＥＤ１５ｂから遠ざかるに従って薄くしてもよい。
【００７３】
＜＜変形例２＞＞
図１０（ａ）は、イルミリング２０の変形例２の導光部２１Ｃを示す後面模式図であり、図１０（ｂ）は、図１０（ａ）のVII方向矢視図である。
【００７４】
図２に示す実施形態のイルミリング２０の導光部２１では、導光部２１の下方に一つのＬＥＤ１５を設ける場合を示した。
【００７５】
図１０（ａ）、（ｂ）に示す変形例２の導光部２１Ｃは、導光部２１Ｃの下方のＬＥＤ基板１４ｄ（図３）にＬＥＤ１５ｃ１とＬＥＤ１５ｃ２の２つのＬＥＤを設けている。
一方のＬＥＤ１５ｃ１は導光部２１Ｃの一方の周方向に沿って（図１０（ａ）の矢印α１１）発光させている。他方のＬＥＤ１５ｃ２は、導光部２１Ｃの他方の周方向に沿って（図１０（ａ）の矢印α１２）発光させている。
【００７６】
つまり、ＬＥＤ１５ｃ１とＬＥＤ１５ｃ２は、相反する方向かつ導光部２１Ｃの周方向に沿って発光させている。
【００７７】
図１０（ｂ）に示すように、導光部２１Ｃの後部には、ＬＥＤ１５ｃ１およびＬＥＤ１５ｃ２から遠ざかるに従って、前後方向の厚さｓ４が薄くなる傾斜面２１ｃが形成されている。傾斜面２１ｃで上方に向かうＬＥＤ１５ｃ１、１５ｃ２の各光を前方に向けて反射させ、ＬＥＤ１５の光が上方に抜けて光ロスとならないようにしている。
【００７８】
変形例２によれば、ＬＥＤ１５ｃ１、１５ｃ２を２つ設けるのでイルミリング２０の光量が増加する。
【００７９】
＜＜変形例３＞＞
図１１（ａ）は、イルミリング２０の変形例３の導光部２１Ｄを示す後面模式図であり、図１１（ｂ）は、図１１（ａ）のVIII−VIII断面図である。
【００８０】
図２に示す実施形態のイルミリング２０の導光部２１では、導光部２１の下方に一つのＬＥＤ１５を設ける場合を示した。
【００８１】
図１１（ａ）に示す変形例３では、導光部２１Ｄの下方にＬＥＤ１５ｄ１を設けるとともに、導光部２１Ｄの上方にＬＥＤ１５ｄ２を設けたものである。
導光部２１Ｄは、図１１（ｂ）に示すように、導光部２１Ｄにおける下部の中心軸ｃ０方向の厚さｓ５を下方のＬＥＤ１５ｄ１近くを厚くし、導光部２１Ｄの中心軸ｃ０に近づくに従って厚さｓ５を薄くしている。また、導光部２１Ｄにおける上部の中心軸ｃ０方向の厚さｓ６をＬＥＤ１５ｄ２近くを厚くし、導光部２１Ｄの中心軸ｃ０に近づくに従って薄くしている。
【００８２】
つまり、導光部２１Ｄの後下部に傾斜面２１ｄ１を設け、導光部２１Ｄの後上部に傾斜面２１ｄ２を設けている。そのため、導光部２１Ｄにおける下方のＬＥＤ１５ｄ１から上向きの光が下部の傾斜面２１ｄ１で反射して前方向きの光とできる。また、導光部２１Ｄにおける上方のＬＥＤ１５ｄ２から下向きの光が上部の傾斜面２１ｄ２で反射して前方向きの光とできる。
【００８３】
変形例３によれば、２つのＬＥＤ１５ｄ１、１５ｄ２から導光部２１にその延在方向（図１１（ａ）、（ｂ）の矢印α２１、α２２）に光を発することで、イルミリング２０Ｄの光量を大きくできる（明るさの均等化もできる）。
【００８４】
＜＜変形例４＞＞
図１２は、イルミリング２０の変形例４の導光部２１Ｅを示す後面図である。
【００８５】
図２に示す実施形態のイルミリング２０では、導光部２１の下方に一つのＬＥＤ１５を設ける場合を示した。
【００８６】
図１２に示す変形例４では、イルミリング２０における導光部２１Ｅは、後面視で逆さのＵ字形状としている。そして、導光部２１Ｅにおける一方の下端部２１ｅ１の下方にＬＥＤ１５ｅ１を設け、他方の下端部２１ｅ２の下方にＬＥＤ１５ｅ２を設けている。
換言すれば、ＬＥＤ１５ｅ１、１５ｅ２は、導光部２１Ｅの横方向（導光部２１Ｅが広がる延在空間Ｋ１）に配置され、導光部２１Ｅの周方向に光を向けている。
【００８７】
一方のＬＥＤ１５ｅ１からの光が導光部２１Ｅの一方の下端部２１ｅ１から周方向（図１２の矢印α３１）に入る。また、他方のＬＥＤ１５ｅ２からの光が導光部２１Ｅの他方の下端部２１ｅ２から周方向（図１２の矢印α３２）に入る。つまり、一方のＬＥＤ１５ｅ１からの光を導光部２１Ｅの一方側（下端部２１ｅ１）から周方向（図１２の矢印α３１）に沿って伝播させ、他方のＬＥＤ１５ｅ２からの光を導光部２１Ｅの他方側（下端部２１ｅ２）から周方向（図１２の矢印α３２）に沿って伝播させている。
【００８８】
これにより、ＬＥＤ１５ｅ１、１５ｅ２の光を効率的に用いることができる。こうして、ＬＥＤ１５ｅ１、１５ｅ２の光を導光部２１Ｅの全体に行き渡らせ、イルミリング２０を効果的に発光することができる。
【００８９】
以上のことから、実施形態、変形例、変形例１〜４の何れか一つの選択ダイヤル７を備える加熱調理器１であれば、前記の作用効果を奏する加熱調理器１を得られる。
【００９０】
（その他の実施形態）
１．なお、図５、図６（ａ）に示す実施形態のイルミリング２０では、導光部２１が円環状の場合を示したが、多角形の環状としてもよい。例えば、イルミリング２０を図１３に示す四角形の環状の導光部２１Ｆとしてもよい。或いは、図１４に示す八角形の環状の導光部２１Ｇでもよく、その他の多角形の環状としてもよい。なお、図１３は変形例５の導光部２１Ｆの後面模式図であり、図１４は変形例６の導光部２１Ｇの後面模式図である。
【００９１】
或いは、導光部２１が環状であれば、楕円状等のその他の形状を適宜選択してもよい。
【００９２】
２．前記実施形態では、図１に示す加熱調理器１の選択ダイヤル７を例に挙げて説明したが、エンコーダを使う構造のダイヤルであれば、機器に限定されずその他の機器にも幅広く適用できる。
【００９３】
３．前記実施形態では、様々な構成を説明したが、少なくとも一部を採用してもよい。例えば、説明した構成を、適宜を組み合わせて構成してもよい。
【００９４】
４．前記実施形態で説明した構成は、本発明の一例であり、特許請求の範囲で記載した範囲内でその他の様々な形態が可能である。
【符号の説明】
【００９５】
１      加熱調理機
７      ダイヤル（選択ダイヤル）
１５、１５ａ、１５ｂ、１５ｃ１、１５ｃ２、１５ｄ１、１５ｄ２、１５ｅ１、１５ｅ２  ＬＥＤ（光源）
１５ｓ  先端面
１５ｔ  周側面
２０、２０Ａ、２０Ｂ、２０Ｃ、２０Ｄ、２０Ｅ  イルミリング（電飾部材）
２１    導光部
２１ａ  傾斜面（光源から遠くなるに従い薄くなる箇所）
２１ｄ１  傾斜面（光源から遠くなるに従い薄くなる箇所）
２１ｄ２  傾斜面（光源から遠くなるに従い薄くなる箇所）
２２    光照射部（照射部）
７０  ダイヤルつまみ（つまみ）
Ｋ、Ｋ１  延在空間
【図１】
2020176772.tif 000003
【図２】
2020176772.tif 000004
【図３】
2020176772.tif 000005
【図４】
2020176772.tif 000006
【図５】
2020176772.tif 000007
【図６】
2020176772.tif 000008
【図７】
2020176772.tif 000009
【図８】
2020176772.tif 000010
【図９】
2020176772.tif 000011
【図１０】
2020176772.tif 000012
【図１１】
2020176772.tif 000013
【図１２】
2020176772.tif 000014
【図１３】
2020176772.tif 000015
【図１４】
2020176772.tif 000016